(57)【要約】【課題】  プレート等の調理具を大きくしても設定温度の変化が少ない誘導加熱用調理具および使い勝手のよい誘導加熱調理器を提供することを目的とする。【解決手段】  アルミニウム等からなる調理具１９の裏面中央部に誘導加熱される発熱体２１を設け、調理具１９裏面の外縁よりも発熱体２１の近傍側には調理具１９を支持する複数の脚２２を設け、この調理具１９を天板１１に載置し天板１１の裏面温度を検知するようにした。これにより、プレート等の調理具を大きくしても設定温度の変化が少ない誘導加熱用調理具および使い勝手のよい誘導加熱調理器が提供できる。【選択図】  図１
2005085665.tif 000002
【特許請求の範囲】
【請求項１】
アルミニウム等からなる調理具の裏面中央部に誘導加熱される発熱体を設け、調理具裏面の外縁よりも発熱体の近傍側には調理具を支持する複数の脚を設けた誘導加熱用調理具。
【請求項２】
調理具を複数の脚にて載置面上に載置した際に、載置面との間に隙間を有する補助脚を複数の脚より外側に位置して調理具裏面に設けた請求項１に記載の誘導加熱用調理具。
【請求項３】
調理具の底面は、上方向に凸状に湾曲した構成とした請求項１または２に記載の誘導加熱用調理具。
【請求項４】
請求項１〜３のいずれか１項に記載の誘導加熱用調理具を載置する絶縁性の天板と、天板上に載置された誘導加熱用調理具の発熱体を誘導加熱する加熱コイルと、天板の裏面の温度を検知して、その検知結果に応じて加熱コイルに供給する高周波電流の大きさを制御する制御部とを備えた誘導加熱調理器。
【発明の詳細な説明】
【技術分野】
【０００１】
本発明は、プレートや浅鍋等の一般家庭で使用する誘導加熱用調理具およびそれを備えた誘導加熱調理器に関するものである。
【背景技術】
【０００２】
従来、この種の誘導加熱用調理具は、その裏面に設けた脚を介して誘導加熱調理器の天板上に載置しているものであった。また、誘導加熱用調理具の温度検知は、天板上に感温センサを突出させて行っている（例えば、特許文献１参照）。
【特許文献１】特開平５−２４２９６０号公報
【発明の開示】
【発明が解決しようとする課題】
【０００３】
しかしながら、前記従来の構成では、調理物が吹きこぼれたりして天板を清掃する際には感温センサが突出しているので、清掃しにくく使い勝手の悪いものであった。また、誘導加熱用調理具を載置する際に感温センサに衝撃を与えることも頻繁に起こり、感温センサを傷つけ、温度特性が変化してしまう恐れもあった。
【０００４】
そこで、感温センサを天板裏面に位置させて天板から突出させないようにしたものでは、プレート等の誘導加熱用調理具が大きくなると、調理具の底面は、加熱高温時には膨張して下方に反りが発生し、調理具の底面と感温センサとの距離が短くなり、感温センサが調理具から受ける熱量が大きくなり、それ故に設定温度が変化してしまうという課題があった。
【０００５】
本発明は、前記従来の課題を解決するもので、プレート等の調理具を大きくしても設定温度の変化が少ない誘導加熱用調理具および使い勝手のよい誘導加熱調理器を提供することを目的とする。
【課題を解決するための手段】
【０００６】
前記従来の課題を解決するために、本発明の誘導加熱用調理具は、アルミニウム等からなる調理具の裏面中央部に誘導加熱される発熱体を設け、調理具裏面の外縁よりも発熱体の近傍側には調理具を支持する複数の脚を設けたものである。また、本発明の誘導加熱調理器は、天板上に誘導加熱用調理具を載置し天板の裏面温度を検知するようしたものである。
【０００７】
これにより、プレート等の誘導加熱用調理具が大きくなり、その底面が膨張して熱変形しても、複数の脚を調理具裏面の外縁よりも発熱体の近傍側に設けているので、複数の脚の内側範囲での変形量は少なく、設定温度の大きな変化は防止できる。同時に、天板上に感温センサの突出物がなく使い勝手が向上する。
【発明の効果】
【０００８】
本発明の誘導加熱用調理具および誘導加熱調理器は、プレート等の調理具の底面が熱変形しても、設定温度の大きな変化が防止できるものである。
【発明を実施するための最良の形態】
【０００９】
第１の発明は、アルミニウム等からなる調理具の裏面中央部に誘導加熱される発熱体を設け、調理具裏面の外縁よりも発熱体の近傍側には調理具を支持する複数の脚を設けた誘導加熱用調理具とすることにより、プレート等の誘導加熱用調理具が大きくなり、その底面が膨張して熱変形しても、複数の脚を調理具裏面の外縁よりも発熱体の近傍側に設けているので、複数の脚の内側範囲での変形量は少なく、設定温度の大きな変化は防止できる。
【００１０】
第２の発明は、特に、第１の発明において、調理具を複数の脚にて載置面上に載置した際に、載置面との間に隙間を有する補助脚を複数の脚より外側に位置して調理具裏面に設けたことにより、プレート等の誘導加熱用調理の外側に外力がかかっても、補助脚によりガタツキが押さえられて、安定させることができる。
【００１１】
第３の発明は、特に、第１または第２の発明において、調理具の底面は、上方向に凸状に湾曲した構成としたことにより、プレート等の誘導加熱用調理具が高温になっても、調理具の底面は下方に反りにくくなり、安定した温度検知が行える。
【００１２】
第４の発明は、第１〜第３のいずれか１つの発明における誘導加熱用調理具を載置する絶縁性の天板と、天板上に載置された誘導加熱用調理具の発熱体を誘導加熱する加熱コイルと、天板の裏面の温度を検知して、その検知結果に応じて加熱コイルに供給する高周波電流の大きさを制御する制御部とを備えた誘導加熱調理器としたことにより、天板上に感温センサの突出物がなく使い勝手が向上するとともに、プレート等の誘導加熱用調理具が大きくなり、その底面が膨張して熱変形しても、複数の脚を調理具裏面の外縁よりも発熱体の近傍側に設けているので、複数の脚の内側範囲での変形量は少なく、設定温度の大きな変化はなく、安定した温度制御が行える。
【００１３】
以下、本発明の実施の形態について、図面を参照しながら説明する。なお、この実施の形態によって本発明が限定されるものではない。
【００１４】
（実施の形態１）
図１〜図４は、本発明の実施の形態１における誘導加熱用調理具および誘導加熱調理器を示すものである。
【００１５】
図１および図２に示すように、長方形でセラミックスなど無機材料からなる天板１１が、調理器本体の外郭の上部を形成する樹脂製の上ケース１２の上面縁１３に接着等で固定して配置されており、上ケース１２の下方には、調理器本体の外郭の底部をなす下ケース１４が設けてある。調理器本体内において下ケース１４には、加熱コイル１５を保持したコイルベース１６が設けてある。
【００１６】
天板１１の中央部の裏面側には温感センサ１７が取り付けてあり、加熱コイル１５と温感センサ１７は制御部１８につながっている。プレート等の調理具１９は着脱自在に天板１１上に載置でき、調理具１９の底面２０の裏面中央部には誘導加熱で加熱される発熱体２１が設けてある。
【００１７】
ここで、調理具１９はアルミニウム等の高導電率かつ低透磁率の金属材料で形成され、発熱体２１は鉄材と亜鉛材を溶射加工して、調理具１９の生地のアルミニウムに取り付けている。ただ、発熱体２１は溶射加工に限るものではなく、磁性材料、例えばステンレス等の板を貼り付けて構成することも可能である。
【００１８】
また、調理具１９の底面２０の裏面には、調理具裏面の外縁よりも発熱体２１の近傍側に調理具１９を支持する複数の脚２２を設けてある。また、底面２０には、発熱体２１と脚２２を中央部側に設けているので、その外側にも平坦部２３が形成されている。発熱体２１と天板１１の間には複数の脚２２により隙間２４が形成されており、発熱体２１の中央部と天板１１の間の隙間２４は距離Ｌ１である。なお、調理具１９には把手金具を介して把手２５を取り付けている。
【００１９】
図３において、調理具１９の底面２０には裏面中央部に発熱体２１があり、その外周近傍に脚２２が３個設けてある。
【００２０】
ここで、複数の脚２２のうち、調理具１９の中央から最も遠い位置、すなわち把手２５側に近く設けられた脚２２は、脚２２と発熱体２１の外周との距離Ｌ２よりも、脚２２と調理具１９の底面２０の外縁との距離Ｌ３の方が大きくなるように設定している。
【００２１】
図４は高温時の調理具１９の底面２０状態を示しており、底面２０は熱膨張して下方に反り、発熱体２１の中央部と天板１１の間は距離Ｌ４になり、図１に示す常温時の距離Ｌ１よりも小さくなるものである。
【００２２】
以上のように構成された誘導加熱調理器について、以下その動作、作用を説明する。
【００２３】
まず、調理具１９を天板１１上に載置すると、調理具１９の底面２０の裏面に設けた脚２２が天板１１上に接触する。また発熱体２１は天板１１との間に隙間２４があり、天板１１に触れることはない。また、脚２２の数を３個にすることで、調理具１９と天板１１とのガタツキが防止できる。
【００２４】
加熱開始前は、調理具１９の温度は室温とほぼ同等であり、加熱を始めると制御部１８が温感センサ１７を用いて天板１１の温度を検知して、加熱が必要と判断して、加熱コイル１５に高周波電流を供給して、発熱体２１を誘導加熱する。そして、アルミニウム等の調理具１９の底面２０が加熱される。
【００２５】
底面２０は高温になる際に熱膨張して下方に反り、図４に示すように、発熱体２１と天板の距離Ｌ４は調理具１９が常温時よりも小さくなる。
【００２６】
ここで、調理具１９の底面２０に設けた脚２２が外周にあると反り量が大きくなり、発熱体２１と天板１１の距離は大きく変化して、発熱体２１が天板１１に近づくので、設定温度が大きく変化する。また、高温時にも発熱体２１が天板１１に触れないように脚２２の長さを設定すると、脚２２が長くなり、常温時には加熱コイル１５と発熱体２１の距離が大きく変化して、誘導加熱がうまくできなくなる。
【００２７】
しかし、複数の脚２２の位置が調理具１９裏面の外縁よりも発熱体２１の近傍側、すなわち底面２０の裏面中央部側に設けることで、底面２０が下方に反っても、底面２０の反り量の少量だけが複数の脚２２の内部での反り量となり、発熱体２１と天板１１の変化量は少なくなり、調理具１９の熱変形で、感温センサ１７が受ける熱量の変化が少なくでき、調理具１９の温度設定変化も少なくなり、安定した調理をすることができる。
【００２８】
ここで、複数の脚２２を発熱体２１の外周に設けているのは、発熱体２１の内部に脚２２を設けると、脚２２が天板１１に載置する時に衝撃を受けて、発熱体２１が調理具１９から外れることを防止するためである。
【００２９】
（実施の形態２）
次に、図５、図６は、本発明の実施の形態２における誘導加熱用調理具および誘導加熱調理器を示すものである。基本構成は実施の形態１と同じであるため、同一要素に同一符号を付して説明を省略する。
【００３０】
本実施の形態においては、調理具１９を複数の脚２２にて載置面、すなわち天板１１上に載置した際に、天板１１との間に隙間３１を有する補助脚３０を、複数の脚２２より外側に位置する調理具裏面の平坦部２３に設けているものである。補助脚３０と天板１１との間の隙間３１は、特定されるものではないが、０．５ミリ程度である。
【００３１】
以上のように構成された誘導加熱調理器について、以下その動作、作用を説明する。
【００３２】
まず、調理具１９を天板１１上に載置すると、調理具１９に設けた複数の脚２２が天板１１に接触する。ここで、脚２２は底面２０の外縁の近傍に設けておらず、中央部に近い位置に設けているので、調理具１９の底面２０を上から押すと、調理具１９がガタつく。
【００３３】
これは、調理時に食材をかき混ぜたり、肉を切ったりするときに調理具１９の底面２０に力がかかり、この際にガタツキやすく、食材が動いたりして使い勝手が悪くなる。
【００３４】
しかし、補助脚３０を設けることで、調理具１９のガタツキを極力少なくすることができ、安定させることができ使い勝手がよくなる。
【００３５】
（実施の形態３）
図７は、本発明の実施の形態３における誘導加熱用調理具および誘導加熱調理器を示すものである。基本構成は実施の形態１と同じであるため、説明を省略する。
【００３６】
本実施の形態においては、調理具４０の底面４１は、上方向に凸状４２に湾曲した構成としたものである。その凸状４２の裏面に発熱体４３が設けてある。また発熱体４３の外周には複数の脚４４が設けてある。また、底面４１の脚４４の外方には、平坦部４５が設けてある。ここで、凸状４２の部分と平坦部４５は肉厚がほぼ同等である。
【００３７】
以上のように構成された誘導加熱調理器において、その動作、作用を説明する。
【００３８】
まず、調理具４０が高温になると、調理具４０の底面４１は下方に反るが、上に凸状４２になっているので、底面４１が平坦である場合よりも凸状の方が下方に反りにくく、底面４１が高温になったときの反りの変化量が小さくなる。これにより、発熱体４３と載置面、すなわち天板の距離の変形量が少なくなり、感温センサが受ける熱量の変化も少なくなり、安定した温度検知が行える。
【産業上の利用可能性】
【００３９】
以上のように、本発明にかかる誘導加熱用調理具および誘導加熱調理器は、使い勝手が向上するとともに、プレート等の調理具の底面が熱変形しても、設定温度の大きな変化が防止できるものであり、単なるプレートに限らず、焼肉プレート、浅鍋、深鍋、天ぷら鍋、たこ焼きプレート等についても適用できるものである。
【図面の簡単な説明】
【００４０】
【図１】本発明の実施の形態１における誘導加熱用調理具および誘導加熱調理器の断面図
【図２】同誘導加熱用調理具および誘導加熱調理器の分解斜視図
【図３】同誘導加熱用調理具の裏面図
【図４】同誘導加熱用調理具および誘導加熱調理器の高温時の断面図
【図５】本発明の実施の形態２における誘導加熱用調理具の裏面図
【図６】同誘導加熱用調理具および誘導加熱調理器の断面図
【図７】本発明の実施の形態３における誘導加熱用調理具および誘導加熱調理器の断面図
【符号の説明】
【００４１】
１１  天板
１５  加熱コイル
１７  温感センサ
１８  制御部
１９、４０  調理具
２０、４１  底面
２１、４３  発熱体
２２、４４  脚
２３、４５  平坦部
４２  凸状
【図１】
2005085665.tif 000003
【図２】
2005085665.tif 000004
【図３】
2005085665.tif 000005
【図４】
2005085665.tif 000006
【図５】
2005085665.tif 000007
【図６】
2005085665.tif 000008
【図７】
2005085665.tif 000009